(57)【要約】【課題】２次転写ローラの抵抗変動や除電針の耐久変化や環境変化に関わらず、転写ベルトから紙へのトナー像の転写を良好に行うことができる画像形成装置を提供する。【解決手段】２次転写ローラ１３に流れる転写電流は、転写電流検出部４４Ａにより、検出される。除電針４７に流れる除電電流は、除電電流検出部４４Ｂにより、検出される。電圧制御部４５Ａは、転写電流検出部４４Ａに検出された転写電流から、除電電流検出部４４Ｂに検出された除電電流を除いた値である、転写寄与電流が、規定範囲に入るように、２次転写ローラ１１に印加するバイアス電圧を制御する。【選択図】図２
2010249872.tif 000002
【特許請求の範囲】
【請求項１】
トナー像を担持する像担持体と、
上記像担持体とともに記録媒体を挟んで搬送する転写部材と、
上記転写部材にバイアス電圧を印加する電圧印加部と、
上記電圧印加部に対して定電圧制御を行う電圧制御部と、
上記像担持体から上記記録媒体へのトナー像の転写に寄与する電流を検出する転写寄与電流検出部と、
上記転写部材の上記記録媒体の搬送方向下流側に配置されると共に上記記録媒体上の静電気を取り除く除電部と
を備え、
上記電圧制御部は、上記転写寄与電流検出部に検出された上記転写寄与電流が、規定範囲に入るように、上記転写部材に印加するバイアス電圧を制御することを特徴とする画像形成装置。
【請求項２】
請求項１に記載の画像形成装置において、
上記転写寄与電流検出部は、
上記転写部材に流れる転写電流を検出する転写電流検出部と、
上記除電部に流れる除電電流を検出する除電電流検出部と
を有し、
上記電圧制御部は、上記転写電流検出部に検出された上記転写電流から、上記除電電流検出部に検出された上記除電電流を除いた値である、上記転写寄与電流が、規定範囲に入るように、上記転写部材に印加するバイアス電圧を制御することを特徴とする画像形成装置。
【請求項３】
請求項２に記載の画像形成装置において、
上記転写部材の上記記録媒体の搬送方向上流側に配置されると共に上記記録媒体に接触して上記記録媒体の搬送をガイドするガイド部を備え、
上記転写寄与電流検出部は、さらに、上記ガイド部に流れるガイド電流を検出するガイド電流検出部を有し、
上記電圧制御部は、上記転写電流検出部に検出された上記転写電流から、上記除電電流検出部に検出された上記除電電流、および、上記ガイド電流検出部に検出された上記ガイド電流を除いた値である、上記転写寄与電流が、規定範囲に入るように、上記転写部材に印加するバイアス電圧を制御することを特徴とする画像形成装置。
【請求項４】
請求項１に記載の画像形成装置において、
上記転写部材に対向すると共に、上記像担持体に関して上記転写部材とは反対側に配置されている対向電極部を備え、
上記転写寄与電流検出部は、上記対向電極部に流れる対向電流を検出する対向電流検出部を有し、
上記電圧制御部は、上記対向電流検出部に検出された上記対向電流を上記転写寄与電流として、この転写寄与電流が、規定範囲に入るように、上記転写部材に印加するバイアス電圧を制御することを特徴とする画像形成装置。
【請求項５】
請求項１から４の何れか一つに記載の画像形成装置において、
印刷条件を取得する取得部と、
上記印刷条件毎に上記規定範囲を記憶する記憶部と
を備え、
上記電圧制御部は、上記転写寄与電流検出部に検出された上記転写寄与電流が、上記取得部が取得した印刷条件に対応する上記規定範囲に入るように、上記転写部材に印加するバイアス電圧を制御することを特徴とする画像形成装置。
【請求項６】
請求項１から４の何れか一つに記載の画像形成装置において、
印刷条件を取得する取得部と、
上記印刷条件毎に上記定電圧制御のためのバイアス電圧を記憶する記憶部と
を備え、
上記電圧制御部は、上記取得部が取得した印刷条件に応じたバイアス電圧により、上記定電圧制御を行うことを特徴とする画像形成装置。
【請求項７】
請求項５または６に記載の画像形成装置において、
上記印刷条件は、温度および湿度の少なくとも一方であることを特徴とする画像形成装置。
【請求項８】
請求項５または６に記載の画像形成装置において、
上記印刷条件は、上記記録媒体のサイズであることを特徴とする画像形成装置。
【請求項９】
請求項５または６に記載の画像形成装置において、
上記印刷条件は、上記記録媒体の種類であることを特徴とする画像形成装置。
【請求項１０】
請求項５または６に記載の画像形成装置において、
上記印刷条件は、トナー像の画像パターンであることを特徴とする画像形成装置。
【請求項１１】
請求項５または６に記載の画像形成装置において、
上記印刷条件は、両面印刷において、トナー像を形成しようとしている記録媒体の一方の面が、表面であるか裏面であるかであることを特徴とする画像形成装置。
【発明の詳細な説明】
【技術分野】
【０００１】
この発明は、例えば、電子写真方式や静電記録方式などによって画像形成を行う複写機、プリンタ、ＦＡＸやこれら複合機などの画像形成装置に関する。
【背景技術】
【０００２】
従来、画像形成装置としては、図８に示すように、対向ローラ１０９と、この対向ローラ１０９に巻き付けられると共にトナー像を担持する転写ベルト１０１と、この転写ベルト１０１とともに紙Ｓを挟んで搬送する２次転写ローラ１０３とを備えたものがある（特開２００８−２７５９４６号公報：特許文献１参照）。
【０００３】
上記２次転写ローラ１０３の下流側には、除電針１０７が配置され、この除電針１０７は、紙Ｓ上の静電気を取り除く。この除電針１０７には、除電トランス１０８が接続されている。
【０００４】
上記２次転写ローラ１０３は、転写トランス１０６により、バイアス電圧を印加される。この転写トランス１０６は、電圧制御部１０５により、定電圧制御を行われる。２次転写ローラ１０３に流れる転写電流は、転写電流検出部１０４により、検出される。
【０００５】
２次転写ローラ１０３に流れる転写電流によって、紙Ｓの２次転写ローラ１０３側の一面は、プラスに帯電し、対向ローラ１０９は、マイナスに帯電し、マイナスに帯電したトナーは、紙Ｓの転写ベルト１０１側の他面に転写される。
【０００６】
対向ローラ１０９のマイナス電荷は、点線の矢印に示すように、移動する。紙Ｓの一面のプラス電荷は、点線の矢印に示すように、除電針１０７に移動する。
【０００７】
紙Ｓに転写ベルト１０１のトナー像を転写中に、上記転写電流検出部１０４は、２次転写ローラ１０３に流れる転写電流を検出し、上記電圧制御部１０５は、その転写電流が規定範囲外になった場合に、転写電流が規定範囲に入るように、転写トランス１０６に印加する電圧を変更する制御を行っている。
【先行技術文献】
【特許文献】
【０００８】
【特許文献１】特開２００８−２７５９４６号公報
【発明の概要】
【発明が解決しようとする課題】
【０００９】
しかしながら、上記従来の画像形成装置では、上記電圧制御部１０５は、２次転写ローラ１０３に流れる転写電流のみに基づいて、転写トランス１０６に印加する電圧を制御していたので、２次転写ローラ１０３に流れる転写電流が、白抜きの矢印に示すように、紙Ｓを伝って除電針１０７へ漏れて、２次転写ローラ１０３に流れる転写電流が、大きく変化した場合、転写ベルト１０１から紙Ｓへのトナー像の転写を良好に行うことができない問題があった。
【００１０】
つまり、電圧制御部１０５は、紙Ｓに沿って漏れる電流も含んだ電流をモニタしているので、精度が悪い。そして、このリーク電流は、環境や耐久などによる装置の性能変化に依る変動が とても大きい。
【００１１】
次に、この従来の画像形成装置を用いた転写の結果を説明する。上記電圧制御部１０５は、規定範囲（下限電流値〜上限電流値）のテーブルを持って制御しているが、この制御による動作範囲は、２次転写ローラの抵抗や除電針の新旧により、以下の（表Ａ）のように狭い範囲でしか動作しないものとなった。
（表Ａ）
2010249872.tif 000003
【００１２】
上記（表Ａ）において、「○」は「 動作する」ことを示し、「△」は「 動作する時もある」ことを示し、「×」は「 動作しない」ことを示す。ここで、「動作する」とは、紙にトナー像を転写できることをいう。
【００１３】
ここで、すべての範囲で動作しない理由であるが、２次転写ローラへの電流は、２次転写ローラの抵抗や、紙の抵抗や、除電性能の変化や、紙を通じた漏れ電流等 により、大きく変化するからである。
【００１４】
２次転写ローラの抵抗は、環境や耐久で変化する。紙の抵抗は、紙の種類や環境や調湿時間で変化する。除電性能の変化は、耐久により除電針が放電し難くなったり、除電針の代わりに除電布を使用した場合には除電布の抵抗が高くなったりして、除電電流が変化する。紙を通じた漏れ電流は、高湿での調湿紙で多くなる。
【００１５】
そこで、これらの電流の変化を予測すれば、動作範囲を広げることが可能であるが、各々の変化に対する２次転写ローラへの電流を把握する必要が有るため、膨大な時間が必要であり、また、それらを用いた制御プログラムも大きくなり、膨大な工数が必要である。
【００１６】
また、除電針への電流は、紙と除電針の距離にも依存するため、転写後の通紙が不安定な場合には、紙１枚内でも通紙中に変化してしまうため、予測することが難しい。したがって、予測を入れて制御することは現実的ではない。
【００１７】
そこで、この発明の課題は、２次転写ローラの抵抗変動や除電針の耐久変化や環境変化に関わらず、転写ベルトから紙へのトナー像の転写を良好に行うことができる画像形成装置を提供することにある。
【課題を解決するための手段】
【００１８】
上記課題を解決するため、この発明の画像形成装置は、
トナー像を担持する像担持体と、
上記像担持体とともに記録媒体を挟んで搬送する転写部材と、
上記転写部材にバイアス電圧を印加する電圧印加部と、
上記電圧印加部に対して定電圧制御を行う電圧制御部と、
上記像担持体から上記記録媒体へのトナー像の転写に寄与する電流を検出する転写寄与電流検出部と、
上記転写部材の上記記録媒体の搬送方向下流側に配置されると共に上記記録媒体上の静電気を取り除く除電部と
を備え、
上記電圧制御部は、上記転写寄与電流検出部に検出された上記転写寄与電流が、規定範囲に入るように、上記転写部材に印加するバイアス電圧を制御することを特徴としている。
【００１９】
この発明の画像形成装置によれば、上記転写寄与電流検出部は、像担持体から記録媒体へのトナー像の転写に寄与する電流を検出し、上記電圧制御部は、転写寄与電流検出部に検出された転写寄与電流が、規定範囲に入るように、転写部材に印加するバイアス電圧を制御するので、例えば、転写部材の抵抗や除電部の性能が、環境や耐久により、変動し、または、転写部材に流れる転写電流が、記録媒体を伝って除電部へ漏れて、転写部材に流れる転写電流が、大きく変化しても、転写電流のみに基づいて転写部材に印加するバイアス電圧を制御していないため、像担持体から記録媒体へのトナー像の転写を良好に行うことができる。
【００２０】
また、一実施形態の画像形成装置では、
上記転写寄与電流検出部は、
上記転写部材に流れる転写電流を検出する転写電流検出部と、
上記除電部に流れる除電電流を検出する除電電流検出部と
を有し、
上記電圧制御部は、上記転写電流検出部に検出された上記転写電流から、上記除電電流検出部に検出された上記除電電流を除いた値である、上記転写寄与電流が、規定範囲に入るように、上記転写部材に印加するバイアス電圧を制御する。
【００２１】
この実施形態の画像形成装置によれば、上記電圧制御部は、転写電流から除電電流を除いた値である転写寄与電流が、規定範囲に入るように、転写部材に印加するバイアス電圧を制御するので、転写寄与電流を容易に求めることができる。
【００２２】
また、一実施形態の画像形成装置では、
上記転写部材の上記記録媒体の搬送方向上流側に配置されると共に上記記録媒体に接触して上記記録媒体の搬送をガイドするガイド部を備え、
上記転写寄与電流検出部は、さらに、上記ガイド部に流れるガイド電流を検出するガイド電流検出部を有し、
上記電圧制御部は、上記転写電流検出部に検出された上記転写電流から、上記除電電流検出部に検出された上記除電電流、および、上記ガイド電流検出部に検出された上記ガイド電流を除いた値である、上記転写寄与電流が、規定範囲に入るように、上記転写部材に印加するバイアス電圧を制御する。
【００２３】
この実施形態の画像形成装置によれば、上記電圧制御部は、転写電流から除電電流およびガイド電流を除いた値である転写寄与電流が、規定範囲に入るように、転写部材に印加するバイアス電圧を制御するので、例えば、記録媒体の抵抗が、高湿環境により、低くなって、転写部材に流れる電車電流が、記録媒体を伝ってガイド部へ漏れても、ガイド電流を考慮しているため、像担持体から記録媒体へのトナー像の転写を一層良好に行うことができる。
【００２４】
また、一実施形態の画像形成装置では、
上記転写部材に対向すると共に、上記像担持体に関して上記転写部材とは反対側に配置されている対向電極部を備え、
上記転写寄与電流検出部は、上記対向電極部に流れる対向電流を検出する対向電流検出部を有し、
上記電圧制御部は、上記対向電流検出部に検出された上記対向電流を上記転写寄与電流として、この転写寄与電流が、規定範囲に入るように、上記転写部材に印加するバイアス電圧を制御する。
【００２５】
この実施形態の画像形成装置によれば、上記電圧制御部は、対向電流を転写寄与電流として、この転写寄与電流が、規定範囲に入るように、転写部材に印加するバイアス電圧を制御するので、転写寄与電流を正確に求めることができる。
【００２６】
また、一実施形態の画像形成装置では、
印刷条件を取得する取得部と、
上記印刷条件毎に上記規定範囲を記憶する記憶部と
を備え、
上記電圧制御部は、上記転写寄与電流検出部に検出された上記転写寄与電流が、上記取得部が取得した印刷条件に対応する上記規定範囲に入るように、上記転写部材に印加するバイアス電圧を制御する。
【００２７】
この実施形態の画像形成装置によれば、上記電圧制御部は、転写寄与電流が、取得部が取得した印刷条件に対応する規定範囲に入るように、転写部材に印加するバイアス電圧を制御するので、印刷条件に適した規定範囲が設定されて、印刷条件に応じて転写を良好に行うことができる。
【００２８】
また、一実施形態の画像形成装置では、
印刷条件を取得する取得部と、
上記印刷条件毎に上記定電圧制御のためのバイアス電圧を記憶する記憶部と
を備え、
上記電圧制御部は、上記取得部が取得した印刷条件に応じたバイアス電圧により、上記定電圧制御を行う。
【００２９】
この実施形態の画像形成装置によれば、上記電圧制御部は、上記取得部が取得した印刷条件に応じたバイアス電圧により、上記定電圧制御を行うので、印刷条件に適したバイアス電圧が設定されて、印刷条件に応じて転写を良好に行うことができる。
【００３０】
また、一実施形態の画像形成装置では、上記印刷条件は、温度および湿度の少なくとも一方である。
【００３１】
また、一実施形態の画像形成装置では、上記印刷条件は、上記記録媒体のサイズである。
【００３２】
また、一実施形態の画像形成装置では、上記印刷条件は、上記記録媒体の種類である。
【００３３】
また、一実施形態の画像形成装置では、上記印刷条件は、トナー像の画像パターンである。
【００３４】
また、一実施形態の画像形成装置では、上記印刷条件は、両面印刷において、トナー像を形成しようとしている記録媒体の一方の面が、表面であるか裏面であるかである。
【発明の効果】
【００３５】
この発明の画像形成装置によれば、上記転写寄与電流検出部は、像担持体から記録媒体へのトナー像の転写に寄与する電流を検出し、上記電圧制御部は、転写寄与電流検出部に検出された転写寄与電流が、規定範囲に入るように、転写部材に印加するバイアス電圧を制御するので、転写部材の抵抗変動や除電部の耐久変化や環境変化に関わらず、像担持体から記録媒体へのトナー像の転写を良好に行うことができる。
【図面の簡単な説明】
【００３６】
【図１】本発明の画像形成装置の第１実施形態を示す簡略構成図である。
【図２】画像形成装置の２次転写部分の拡大図である。
【図３】２次転写部分の作用説明図である。
【図４】絶対湿度と環境ＳＴＥＰとの関係を示す表である。
【図５Ａ】印刷条件に応じた上限電流値および下限電流値を示す表である。
【図５Ｂ】印刷条件に応じた上限電流値および下限電流値を示す表である。
【図６】本発明の画像形成装置の第２実施形態を示すと共に２次転写部分の拡大図である。
【図７】本発明の画像形成装置の第３実施形態を示すと共に２次転写部分の拡大図である。
【図８】従来の画像形成装置の２次転写部分の拡大図である。
【発明を実施するための形態】
【００３７】
以下、この発明を図示の実施の形態により詳細に説明する。
【００３８】
（第１の実施形態）
図１は、この発明の画像形成装置の一実施形態である簡略構成図を示している。この画像形成装置は、電子写真方式によるカラープリンタであって、いわゆるタンデム式で４色（Ｃ：シアン、Ｍ：マゼンタ、Ｙ：イエロー、Ｋ：ブラック）の画像を合成するように構成したものである。
【００３９】
この画像形成装置は、印刷ジョブを受付けて紙等の記録媒体に画像を形成する機能を有し、印刷部２、給紙部１４、ＣＰＵにより構成される主制御部１８、排紙トレイ２０、スキャナ部２１、および、操作パネル２２を有する。
【００４０】
上記スキャナ部２１は、公知の機構により原稿画像をＲ（赤），Ｇ（緑），Ｂ（青）の三色に分解して読み取ると共に、Ｒ，Ｇ，Ｂの画像データを形成するように構成されている。主制御部１８は、このＲ，Ｇ，Ｂの画像データをＣ，Ｍ，Ｙ，Ｋの画像データに変換する。
【００４１】
上記操作パネル２２は、ユーザが画像形成装置に指示を出すためのパネルであって、タッチパネル２３および入力キー２４を含む。タッチパネル２３は、ユーザの入力を受付ける入力インタフェースとしての役割を果たすと共に、画像を表示する表示手段としての役割を果たす。また、入力キー２４は、複数のメカニカルキーにより構成される入力インタフェースである。
【００４２】
上記給紙部１４は、記録媒体を一枚ずつ供給する役割を果たし、用紙トレイ１５および給紙ローラ１６を含む。用紙トレイ１５は、印刷前の状態の記録媒体が複数枚重ねて載置される。給紙ローラ１６は、用紙トレイ１５に載置された紙を一枚ずつ取り出す。
【００４３】
上記印刷部２は、給紙部１４から供給されてくる記録媒体に画像を印刷する画像印刷手段としての役割を果たし、４つの画像形成ステーション３３Ｃ，３３Ｍ，３３Ｙ，３３Ｋ、露光制御部３、４つの１次転写ローラ８、転写ベルト１０、対向ローラ１１、従動ローラ１２、２次転写ローラ１３、クリーニングブレード１７および定着装置１９を含む。
【００４４】
上記画像形成ステーション３３Ｃ，３３Ｍ，３３Ｙ，３３Ｋは、それぞれ、感光体ドラム４、帯電器５、露光装置６、現像装置７およびクリーナー９を含む。
【００４５】
上記帯電器５は、感光体ドラム４の周面を帯電させる。上記露光制御部３は、主制御部１８において変換されたＣ，Ｍ，Ｙ，Ｋの画像データに基づいて、露光装置６にレーザを照射させる。これにより、感光体ドラム４の周面には静電潜像が形成される。
【００４６】
上記現像装置７の現像ローラは、この静電潜像が形成された感光体ドラム４に対して、トナーを供給することにより、感光体ドラム４の周面にトナー像を形成する。
【００４７】
上記１次転写ローラ８は、感光体ドラム４に形成されたトナー像を、対向ローラ１１と従動ローラ１２との間に張り渡された転写ベルト１０に転写する。
【００４８】
上記転写ベルト１０は、１次転写ローラ８により転写されたトナー像を担持する像担持体としての役割を果たし、例えば、ポリイミドにより作製される。
【００４９】
上記対向ローラ１１は、図示しないモータにより回転させられることにより、転写ベルト１０を図１の矢印の方向に駆動する役割を果たす。したがって、対向ローラ１１の表面は、ゴム又はウレタンなどの摩擦係数が大きい材料で構成されることが好ましい。
【００５０】
上記２次転写ローラ１３は、トナー像を記録媒体へ転写させるために、転写ベルト１０および対向ローラ１１と共に記録媒体を挟む転写部材としての役割を果たす。
【００５１】
上記２次転写ローラ１３の材料としては、導電性を有する材料が用いられ、例えば、イオン導電性材料が用いられる。イオン導電性材料として、具体的には、ニトリルゴム（ＮＢＲ）が用いられるが、ウレタンゴム又はヒドリンゴム等を用いることも可能である。
【００５２】
トナー像は、転写ベルト１０が駆動させられることにより、対向ローラ１１と２次転写ローラ１３とにより構成されるニップ部Ｎまで搬送される。２次転写ローラ１３には、バイアス電圧が印加されており、負の電荷を持ったトナー粒子により構成されるトナー像は、バイアス電圧により２次転写ローラ１３側へと引き寄せられて、給紙部１４から搬送されてきた記録媒体に転写される。
【００５３】
上記定着装置９は、記録媒体に対して加熱処理および加圧処理を施すことにより、トナー像を記録媒体に定着させる定着手段としての役割を果たす。上記排紙トレイ２０には、印刷済みの記録媒体が載置される。
【００５４】
図２に示すように、この画像形成装置の２次転写部分において、（転写部材としての）２次転写ローラ１３は、転写ベルト１０とともに（記録媒体としての）紙Ｓを挟んで搬送する。
【００５５】
上記２次転写ローラ１３は、（電圧印加部としての）転写トランス４６により、バイアス電圧を印加される。この転写トランス４６は、電圧制御部４５Ａにより、定電圧制御を行われる。２次転写ローラ１３に流れる転写電流は、転写電流検出部４４Ａにより、検出される。
【００５６】
上記２次転写ローラ１３の紙Ｓの搬送方向下流側には、（除電部としての）除電針４７が配置され、この除電針４７は、紙Ｓ上の静電気を取り除く。この除電針４７には、除電トランス４８が接続されている。除電針４７に流れる除電電流は、除電電流検出部４４Ｂにより、検出される。
【００５７】
上記電圧制御部４５Ａは、転写電流検出部４４Ａに検出された転写電流から、除電電流検出部４４Ｂに検出された除電電流を除いた値である、転写寄与電流が、規定範囲に入るように、２次転写ローラ１１に印加するバイアス電圧を制御する。
【００５８】
言い換えると、上記転写電流検出部４４Ａと上記除電電流検出部４４Ｂとは、転写寄与電流検出部４４を構成し、この転写寄与電流検出部４４は、転写ベルト１０から紙Ｓへのトナー像の転写に寄与する電流を検出する。そして、上記電圧制御部４５Ａは、転写寄与電流検出部４４に検出された転写寄与電流が、規定範囲に入るように、２次転写ローラ１３に印加するバイアス電圧を制御する。
【００５９】
ここで、規定範囲とは、下限電流値と上限電流値とを有し、下限電流値と上限電流値とは、印刷条件によって、異なる。この印刷条件については、後述する。
【００６０】
上記印刷条件は、例えば、図１の操作パネル２２による手入力や、図１の主制御部１８による自己検出により、設定される。つまり、操作パネル２２や主制御部１８等は、印刷条件を取得する取得部としての役割を果たす。
【００６１】
上記電圧制御部４５Ａには、記憶部５１が接続され、この記憶部５１は、印刷条件毎に規定範囲を記憶する。そして、電圧制御部４５Ａは、転写寄与電流検出部４４に検出された転写寄与電流が、取得部が取得した印刷条件に対応する規定範囲に入るように、転写部材に印加するバイアス電圧を制御する。
【００６２】
なお、上記記憶部５１は、印刷条件毎に定電圧制御のためのバイアス電圧を記憶するようにしてもよく、電圧制御部４５Ａは、取得部が取得した印刷条件に応じたバイアス電圧により、定電圧制御を行う。
【００６３】
上記構成の画像形成装置の２次転写部分の作用について説明する。
【００６４】
図３に示すように、２次転写ローラ１３に流れる転写電流によって、紙Ｓの２次転写ローラ１３側の一面は、プラスに帯電し、対向ローラ１１は、マイナスに帯電する。そして、マイナスに帯電したトナーは、紙Ｓの転写ベルト１０側の他面に転写される。
【００６５】
対向ローラ１１のマイナス電荷は、点線の矢印に示すように、移動する。紙Ｓの一面のプラス電荷は、点線の矢印に示すように、除電針４７に移動する。
【００６６】
そして、上記電圧制御部４５Ａは、規定範囲の上限電流値よりも転写寄与電流が大きい場合には、転写寄与電流が上限電流値になるように、２次転写ローラ１３に印加するバイアス電圧を制御する一方、規定範囲の下限電流値よりも転写寄与電流が小さい場合には、転写寄与電流が下限電流値になるように、２次転写ローラ１３に印加するバイアス電圧を制御する。
【００６７】
このように、上記電圧制御部４５Ａは、転写寄与電流に基づいて、２次転写ローラ１３に印加するバイアス電圧を制御するので、例えば、２次転写ローラ１３の抵抗や除電針４７の性能が、環境や耐久により、変動し、または、２次転写ローラ１３に流れる転写電流が、紙Ｓを伝って除電針４７へ漏れて、２次転写ローラ１３に流れる転写電流が、大きく変化しても、転写電流のみに基づいて２次転写ローラ１３に印加するバイアス電圧を制御していないため、転写ベルト１０から紙Ｓへのトナー像の転写を良好に行うことができる。
【００６８】
また、転写電流から除電電流を除いて転写寄与電流を求めるため、転写寄与電流を容易に求めることができる。
【００６９】
また、上記電圧制御部４５Ａは、転写寄与電流が、取得部が取得した印刷条件に対応する規定範囲に入るように、２次転写ローラ１３に印加するバイアス電圧を制御するので、印刷条件に適した規定範囲が設定されて、印刷条件に応じて転写を良好に行うことができる。なお、上記電圧制御部４５Ａは、上記取得部が取得した印刷条件に応じたバイアス電圧により、上記定電圧制御を行うようにしてもよく、印刷条件に適したバイアス電圧が設定されて、印刷条件に応じて転写を良好に行うことができる。
【００７０】
次に、この画像形成装置を用いた転写の結果を説明する。上記電圧制御部４５Ａは、規定範囲（下限電流値〜上限電流値）のテーブルを持って制御しているが、この制御による動作範囲は、以下の（表Ｂ）に示すように、従来の（表Ａ）に比べて、広い範囲となった。
（表Ｂ）
2010249872.tif 000004
【００７１】
上記（表Ｂ）において、「○」は「 動作する」ことを示し、「△」は「 動作する時もある」ことを示し、「×」は「 動作しない」ことを示す。ここで、「動作する」とは、紙にトナー像を転写できることをいう。
【００７２】
次に、上記印刷条件について説明する。
【００７３】
印刷条件の一例としては、温度および湿度の少なくとも一方である。画像形成装置の２次転写部分に、図示しない温度計と湿度計を設ける。２次転写部分の温度または湿度により、絶対湿度を算出し、図４に示すように、絶対湿度に応じて環境ＳＴＥＰ１〜１１を決定する。そして、図５Ａと図５Ｂに示されたテーブルから、絶対湿度（環境ＳＴＥＰ）に基づいて、上限電流値［μＡ］（図中、上限と示す）と下限電流値［μＡ］（図中、下限と示す）とを選択する。
【００７４】
なお、図５Ａと図５Ｂは、予め、記憶部５１に入力されたテーブルである。図５Ａと図５Ｂ中の（表１）〜（表７）では、絶対湿度（温度、湿度）や、記録媒体の種類や、記録媒体のサイズや、記録媒体の印刷面が表面か裏面かや、トナー画像のパターン（カバレッジ）により、上限電流値と下限電流値とを設定している。
【００７５】
印刷条件の一例としては、記録媒体のサイズである。画像形成装置の図示しないセンサにより、記録媒体のサイズを計測し、図５Ａと図５Ｂに示されたテーブルから、紙幅に基づいて、上限電流値および下限電流値を選択する。
【００７６】
印刷条件の一例としては、記録媒体の種類である。この記録媒体の種類には、普通紙、光沢紙、厚紙がある。画像形成装置の操作パネル２２により、記録媒体の種類を入力し、図５Ａと図５Ｂに示されたテーブルから、紙幅に基づいて、上限電流値および下限電流値を選択する。
【００７７】
印刷条件の一例としては、トナー像の画像パターン（カバレッジ）である。カバレッジは、記録媒体上のプリント可能な部分の面積に占めるトナー部分の面積の割合であり、５０％未満と５０％〜１００％とに分けられる。画像形成装置の図示しないセンサにより、カバレッジを計測し、図５Ａと図５Ｂに示されたテーブルから、カバレッジに基づいて、上限電流値および下限電流値を選択する。
【００７８】
印刷条件の一例としては、両面印刷において、トナー像を形成しようとしている記録媒体の一方の面が、表面であるか裏面であるかである。画像形成装置の図示しないセンサにより、記録媒体の一方の面が表面か裏面かを計測し、図５Ａと図５Ｂに示されたテーブルから、記録媒体の表面裏面に基づいて、上限電流値および下限電流値を選択する。
【００７９】
（第２の実施形態）
図６は、この発明の画像形成装置の第２の実施形態を示している。上記第１の実施形態と相違する点を説明すると、この第２の実施形態では、ガイド部を設け、このガイド部に流れるガイド電流を考慮している。なお、この第２の実施形態において、上記第１の実施形態と同一の部分には、同一の参照番号を付して、詳細な説明を省略する。
【００８０】
図６に示すように、ガイド部５０は、２次転写ローラ１３の紙Ｓの搬送方向上流側に配置され、紙Ｓに接触して紙Ｓの搬送をガイドする。
【００８１】
転写寄与電流検出部４４は、転写電流検出部４４Ａおよび除電電流検出部４４Ｂに加えて、ガイド電流検出部４４Ｃを有し、このガイド電流検出部４４Ｃは、ガイド部５０に流れるガイド電流を検出する。
【００８２】
電圧制御部４５Ｂは、転写電流検出部４４Ａに検出された転写電流から、除電電流検出部４４Ｂに検出された除電電流、および、ガイド電流検出部４４Ｃに検出されたガイド電流を除いた値である、転写寄与電流が、規定範囲に入るように、２次転写ローラ１３に印加するバイアス電圧を制御する。
【００８３】
したがって、例えば、記録媒体の抵抗が、高湿環境により、低くなって、２次転写ローラ１３に流れる電車電流が、紙Ｓを伝ってガイド部５０へ漏れても、ガイド電流を考慮しているため、転写ベルト１０から紙Ｓへのトナー像の転写を一層良好に行うことができる。
【００８４】
次に、この画像形成装置を用いた転写の結果を説明する。上記電圧制御部４５Ｂは、規定範囲（下限電流値〜上限電流値）のテーブルを持って制御しているが、この制御による動作範囲は、以下の（表Ｃ）に示すように、従来の（表Ａ）に比べて、一層広い範囲となった。
（表Ｃ）
2010249872.tif 000005
【００８５】
（第３の実施形態）
図７は、この発明の画像形成装置の第３の実施形態を示している。上記第１の実施形態と相違する点を説明すると、この第３の実施形態では、対向ローラに流れる対向電流を考慮している。なお、この第３の実施形態において、上記第１の実施形態と同一の部分には、同一の参照番号を付して、詳細な説明を省略する。
【００８６】
図７に示すように、（対向電極部としての）対向ローラ１１は、２次転写ローラ１３に対向し、転写ベルト１０に関して転写ベルト１０とは反対側に配置されている。
【００８７】
転写寄与電流検出部４４は、対向ローラ１１に流れる対向電流を検出する対向電流検出部４５Ｄを有している。
【００８８】
電圧制御部４５Ｃは、対向電流検出部に検出された対向電流を転写寄与電流として、この転写寄与電流が、規定範囲に入るように、転写部材に印加するバイアス電圧を制御する。
【００８９】
したがって、転写寄与電流を正確に求めることができて、転写ベルト１０から紙Ｓへのトナー像の転写を一層良好に行うことができる。
【００９０】
次に、この画像形成装置を用いた転写の結果を説明する。上記電圧制御部４５Ｃは、規定範囲（下限電流値〜上限電流値）のテーブルを持って制御しているが、この制御による動作範囲は、以下の（表Ｄ）に示すように、従来の（表Ａ）に比べて、一層広い範囲となった。
（表Ｄ）
2010249872.tif 000006
【００９１】
なお、この発明は上述の実施形態に限定されない。例えば、上記第１の実施形態に示した上記印刷条件を、様々に組み合わせてもよく、また、この印刷条件を、上記第２、上記第３の実施形態に用いてもよい。
【符号の説明】
【００９２】
１０  転写ベルト（像担持体）
１１  対向ローラ（対向電極部）
１３  ２次転写ローラ（転写部材）
４４  転写寄与電流検出部
４４Ａ  転写電流検出部
４４Ｂ  除電電流検出部
４４Ｃ  ガイド電流検出部
４４Ｄ  対向電流検出部
４５Ａ，４５Ｂ，４５Ｃ  電圧制御部
４６  転写トランス（電圧印加部）
４７  除電針（除電部）
４８  除電トランス
５０  ガイド部
５１  記憶部
Ｓ  紙（記録媒体）
【図１】
2010249872.tif 000007
【図２】
2010249872.tif 000008
【図３】
2010249872.tif 000009
【図４】
2010249872.tif 000010
【図５Ａ】
2010249872.tif 000011
【図５Ｂ】
2010249872.tif 000012
【図６】
2010249872.tif 000013
【図７】
2010249872.tif 000014
【図８】
2010249872.tif 000015